(57)【要約】【課題】テレスコピック型の型枠装置において、背後を支持する棒状支持部材を設けることによる妻板の強度アップを図ることができる。【解決手段】トンネル二次覆工用型枠２Ｂのトンネル長手方向端部に内周部が固定されて、型枠２Ｂの外周外方に形成された二次覆工コンクリート注入空間Ｓを閉鎖する妻板４の支持構造であって、型枠２のトンネル長手方向端部に、型枠２内に収納した状態からトンネル長手方向外方へ引き出し可能に受け部材３を設け、当該受け部材３の引き出し端３１１に当接部３２を設けて、当該当接部３２に棒状支持部材５の下端を当接させるとともに、妻板４に向け斜め上方に傾斜させた支持部材５の上端を妻板４の外側面外周部に当接させる。【選択図】        図４
2015113646.tif 000002
【特許請求の範囲】
【請求項１】
トンネル二次覆工用型枠のトンネル長手方向端部に内周部が固定されて、前記型枠の外周外方に形成された二次覆工コンクリート注入空間を閉鎖する妻板の支持構造であって、前記型枠のトンネル長手方向端部に、型枠内に収納した状態からトンネル長手方向外方へ引き出し可能に受け部材を設け、当該受け部材の引き出し端に当接部を設けて、当該当接部に棒状支持部材の下端を当接させるとともに、前記妻板に向け斜め上方に傾斜させた前記支持部材の上端を前記妻板の外側面外周部に当接させたことを特徴とするトンネル二次覆工用型枠の妻板の支持構造。
【請求項２】
前記受け部材は棒状スライド体を備え、前記型枠内の外周部に形成されたフランジ部にガイド部を設けてこれに前記スライド体をトンネル長手方向へ移動可能に支持させ、前記スライド体の引き出し端に前記当接部を設けた請求項１に記載のトンネル二次覆工用型枠の妻板の支持構造。
【発明の詳細な説明】
【技術分野】
【０００１】
本発明はトンネル二次覆工用型枠装置の妻板支持構造に関し、特にテレスコピック型のトンネル二次覆工用型枠装置の妻板の支持に好適な支持構造に関する。
【背景技術】
【０００２】
テレスコピック型のトンネル二次覆工用型枠装置（以下、単に型枠装置という）は、前後に一対の一定長の型枠を備え、打設コンクリートを養生中の先行二次覆工層に一方の型枠を存置した状態で、当該型枠内に、収縮状態とした他方の型枠を通過させ、当該他方の型枠を拡大変形させて上記先行二次覆工層に続く後行二次覆工層のためのコンクリート注入空間を形成するもので、これを交互に繰り返すことによって、打設コンクリートの十分な養生を行いつつ効率的に二次覆工層の形成を行うことができる。
【０００３】
ところで、型枠の外方に形成されるコンクリート注入空間は一端が先行二次覆工層によって、他端は型枠に設けた妻板によって閉鎖される。そして例えば特許文献１では、妻板は型枠の端面にボルトによって結合されている。
【０００４】
この場合、上記公報の装置のようにボルト結合は、妻板の基端（内周縁）のみを型枠に固定することになる一方、打設コンクリートの圧力は妻板の外周部にも等しく印加するため、妻板の外側面外周部に向けて型枠側から棒状支持部材を立て掛け当接させて妻板の強化を図る場合がある。
【先行技術文献】
【特許文献】
【０００５】
【特許文献１】特開２００４−３００８９３
【発明の概要】
【発明が解決しようとする課題】
【０００６】
しかし、テレスコピック型の型枠装置では、一対の型枠の端面同士が接するような状態で二次覆工作業が進行するため、型枠側から棒状支持部材を立て掛ける際に当該支持部材の下端を受ける受け部が型枠端面から突出していると、型枠の端面同士を隙無く当接させることができないという問題がある。
【０００７】
そこで、本発明はこのような課題を解決するもので、テレスコピック型の型枠装置において、背後を支持する棒状支持部材を設けることによる妻板の強度アップを図ることができるトンネル二次覆工用型枠装置の妻板の支持構造を提供することを目的とする。
【課題を解決するための手段】
【０００８】
上記目的を達成するために、本第１発明では、トンネル二次覆工用型枠（２）のトンネル長手方向端部に内周部が固定されて、前記型枠（２）の外周外方に形成された二次覆工コンクリート注入空間（Ｓ）を閉鎖する妻板（４）の支持構造であって、前記型枠（２）のトンネル長手方向端部に、型枠（２）内に収納した状態からトンネル長手方向外方へ引き出し可能に受け部材（３）を設け、当該受け部材（３）の引き出し端（３１１）に当接部（３２）を設けて、当該当接部（３２）に棒状支持部材（５）の下端を当接させるとともに、前記妻板（４）に向け斜め上方に傾斜させた前記支持部材（５）の上端を前記妻板（４）の外側面外周部に当接させたことを特徴とする。
【０００９】
本第１発明において、テレスコピック型の型枠装置で、先行二次覆工層を形成した一方の型枠内の受け部材を収納状態にしておけば、他方の型枠の端面を上記受け部材と干渉させることなく上記一方の型枠の端面に連接することができる。そして、他方の型枠によって上記先行二次覆工層に続く新たな二次覆工層を形成する場合には、他方の型枠の端部に妻板の内周部を固定するとともに受け部材を型枠内から引き出して、受け部材の引き出し端と妻板の外側面外周部との間に棒状支持部材を架設することによって、妻板の強度アップが図られる。
【００１０】
本第２発明では、前記受け部材（３）は棒状スライド体（３１）を備え、前記型枠（２）内の外周部に形成されたフランジ部にガイド部（２１１，２１２）を設けてこれに前記スライド体（３１）をトンネル長手方向へ移動可能に支持させ、前記スライド体（３１）の引き出し端（３１１）に前記当接部（３２）を設ける。
【００１１】
本第２発明によれば、受け部材を簡易な構造で実現することができる。
【００１２】
上記カッコ内の符号は、後述する実施形態に記載の具体的手段との対応関係を示すものである。
【発明の効果】
【００１３】
以上のように、本発明のトンネル二次覆工用型枠装置の妻板の支持構造によれば、テレスコピック型の型枠装置において、背後を支持する棒状支持部材を設けることによる妻板の強度アップを図ることができる。
【図面の簡単な説明】
【００１４】
【図１】妻板支持構造を備えるテレスコピック型の型枠装置の全体正面図である。
【図２】妻板支持構造を備えるテレスコピック型の型枠装置の端部拡大断面図である。
【図３】妻板支持構造を備えるテレスコピック型の型枠装置の作動を示す枠体外周部の断面図である。
【図４】妻板支持構造を備えるテレスコピック型の型枠装置の作動を示す端部拡大断面図である。
【発明を実施するための形態】
【００１５】
図１には本発明の妻板支持構造を備えるテレスコピック型の型枠装置の正面図を示す。型枠装置は門型のガントリー１を備えており、ガントリー１は走行レール１１上をトンネル長手方向（紙面垂直方向）へ移動可能である。ガントリー１の左右脚部内には起立姿勢でメインシリンダ１２が設けられており、左右のメインシリンダ１２に支持されて昇降可能に水平な台梁１３が配設されている。台梁１３上には左右位置にメインビーム１４が起立姿勢で設けられており、これらメインビーム１４によって、全体がアーチ状に拡径された型枠２が支持されている。なお、図１はメインシリンダ１２を伸張させて台梁１３を上昇させ、型枠２の外周面とトンネルＴ内壁との間に円弧状の二次覆工コンクリート注入空間Ｓを形成した状態を示す。
【００１６】
型枠２はメインビーム１４で下面を直接支持された天端フォーム２１と、天端フォーム２１の左右端に回動可能にヒンジ連結されたサイドフォーム２２と、これらサイドフォーム２２の下端に回動可能にヒンジ連結されたインバートフォーム２３とから構成されている。これら各フォーム２１〜２３は各ヒンジ連結部に設けられた棒ジャッキ２４や、各フォーム２１〜２３とガントリー１の間に架設された棒ジャッキ２５〜２７等によって公知の構造で図１に示すような拡径展開状態に保持されている。
【００１７】
ここで本実施形態では、型枠２のトンネル長手方向の一方の端面に、詳細を以下に説明する受け部材３が設けられている。受け部材３の詳細を図２に示す。受け部材３は角型断面の棒状スライド体３１を備えている。一方、型枠２の端部には、型枠２を構成すべくトンネル長手方向へ連結された天端フォーム２１の外周フランジ部にガイド部としての筒状のガイド開口２１１，２１２が設けられて、これらガイド開口２１１，２１２内に上記スライド体３１がトンネル長手方向へ移動可能に挿入され収納されている。型枠２の端面から突出した各スライド体３１の先端部３１１は段付きに厚み方向へ凹陥している。また、スライド体３１の後端にはガイド開口２１１，２１２よりも大径としたストッパ部３１２が形成されている。なお、ガイド開口２１１，２１２を分離せず、これらを連続した長尺の一体の筒体としても良い。また、ガイド開口２１１，２１２を外周フランジ部の板面を貫通させて形成するのに代えて、外周フランジ部の内周縁に筒体を接合してガイド開口としても良い。なお、ガイド部は必ずしも筒状とする必要は無く、また開口で実現する必要も無い。
【００１８】
スライド体３１は同一構造のものが天端フォーム２１、サイドフォーム２２、インバートフォーム２３にそれぞれ複数設けられており（図１）、隣接する各一対のスライド体３１の先端部３１１間にＨ型鋼よりなる当接部３２（図２）が架設されて、各受け部材３を構成している。ここで、当接部３２は必ずしもスライド体３１と別部材の鋼材で構成する必要は無く、スライド体３１の一部を成形して実現しても良い。スライド体３１を収納した状態でその先端部３１１上の当接部３２を径方向外方から覆うように型枠２の端面に庇部２８（図２）が突出形成されており、庇部２８の外周面は型枠２の一般部の外周面と面一になっている。テレスコピック型の本実施形態の型枠装置では上記構造の型枠２がトンネル長手方向へ一対設けられている。
【００１９】
以下、本実施形態の型枠装置で二次覆工作業を行う場合について説明する。ガントリー１は一対の型枠の一方（以下、第１型枠という）２Ａを上述のように支持し、この状態で第１型枠２Ａが展開されて注入空間Ｓ内に二次覆工コンクリートが注入されて、その養生が開始される（図３）。その後、メインシリンダ１２（図１）を収縮させて台梁１３を下降させるとともに、ガントリー１と各フォーム２１〜２３間に架設された棒ジャッキ２５〜２７の連結を解消して、ガントリー１と第１型枠２Ａの連結状態を解消する。
【００２０】
その後、ガントリー１を、第１型枠２Ａ内を経て、先行する二次覆工層を形成している他の型枠（以下、第２型枠という）の内部まで移動させる。そして、メインシリンダ１２を伸張させて上記第２型枠をガントリー１で支持し、ガントリー１と第２型枠の両サイドフォームを油圧シリンダで連結するとともにヒンジ部の棒ジャッキの連結を解消して、公知の構造で第２型枠を縮径させ、養生の終了した先行二次覆工層から第２型枠を離間させる。そして、ガントリー１上に支持された縮径状態の第２型枠２Ｂ（図３）を、上記第１型枠２Ａ内を通してこれの反対側へ引き出す。この状態を図３に示す。
【００２１】
続いて、第１型枠２Ａの外方の注入空間Ｓ内に形成されている二次覆工層に連続する新たな二次覆工層を形成するために、第２型枠２Ｂを拡径させて（図３の鎖線）、その外周とトンネル内壁との間に二次覆工コンクリート注入空間Ｓを形成する。この際に、第１型枠２Ａの受け部材３は当該型枠２Ａの端部内に押し込まれ収納されているから、拡径させた第２型枠２Ｂの一方の端面と干渉することはない。
【００２２】
続いて、第２型枠２Ｂの外周に形成された注入空間Ｓを閉鎖するために、第２型枠２Ｂの他方の端面に妻板４を取り付ける（図４）。妻板４は図４に示すようにその内周縁が第２型枠２Ｂの庇部２８の端面に固定される。妻板４の外周面はトンネルＴの内壁に延びてこれに当接し、これによって注入空間Ｓが閉鎖される。ここにおいて、本実施形態では、第２型枠２Ｂの端部内に収納されている受け部材３を図４に示すように、ストッパ部３１２がガイド開口２１２の周縁に当接するまでトンネル長手方向の外方へ引き出す。受け部材３を引き出した状態でガイド開口２１１，２１２の筒壁に設けた位置決めボルト２１３をスライド体３１の側面に進出させてこれを位置決めする。なお、位置決めボルト２１３は特には設ける必要が無い。
【００２３】
この状態で、スライド体３１の引き出された先端部３１１上に設けられた当接部３２と妻板４の外周部外面との間に、棒状支持部材５、例えば木製の柱体、の下端と上端をそれぞれ当接させて妻板４に向けて斜め上方に傾斜させて設ける。このような支持部材５は、各フォーム２１〜２３（図１）に設けた受け部材３を使用して枠体２端面の全周に必要数設置される。これによって、固定された内周縁に加えて妻板４の外周部が背後からも支えられる結果、注入コンクリートの圧力に十分耐えられる強度が妻板４に付与される。
【符号の説明】
【００２４】
２，２Ａ，２Ｂ…型枠、２１１，２１２…ガイド開口(ガイド部)、３…受け部材、３１…スライド体、３１１…引き出し端、３２…当接部、４…妻板、５…支持部材、Ｓ…二次覆工コンクリート注入空間。
【図１】
2015113646.tif 000003
【図２】
2015113646.tif 000004
【図３】
2015113646.tif 000005
【図４】
2015113646.tif 000006